(57)【特許請求の範囲】
【請求項１】
複数の端子部を有する複数の二次電池と、
前記複数の端子部が露出されるように前記複数の二次電池を収納する収納部材と、
複数の開口部を有すると共に、前記複数の開口部に前記複数の端子部が露出されるように前記収納部材に収納された前記複数の二次電池を被覆する保護部材と、
前記複数の開口部に露出された前記複数の端子部に接続された配線部材と
を備え、
前記収納部材および前記保護部材のうちの少なくとも一方は、セラミック材料および耐熱温度が３００℃以上である高分子材料のうちの少なくとも一方を含み、
さらに、前記収納部材に収納された前記複数の二次電池と前記保護部材との間に介在すると共に、前記端子部を露出させるための開口部を有する複数の介在部材を備え、
前記保護部材および前記複数の介在部材のうちの少なくとも一方は、水和物含有材料を含む、
電池パック。
【請求項２】
前記セラミック材料は、セラミックファイバを含む、
請求項１記載の電池パック。
【請求項３】
前記水和物含有材料は、金属水酸化物を含み、
前記金属水酸化物は、水酸化アルミニウムおよび水酸化マグネシウムのうちの少なくとも一方を含む、
請求項１または請求項２に記載の電池パック。
【請求項４】
前記二次電池は、リチウムイオン二次電池である、
請求項１ないし請求項３のいずれか１項に記載の電池パック。
【請求項５】
複数の端子部を有する複数の二次電池と、
前記複数の端子部が露出されるように前記複数の二次電池を収納する収納部材と、
複数の開口部を有すると共に、前記複数の開口部に前記複数の端子部が露出されるように前記収納部材に収納された前記複数の二次電池を被覆する保護部材と、
前記複数の開口部に露出された前記複数の端子部に接続された配線部材と
を備え、
前記保護部材は、水和物含有材料を含む、
電池パック。
【請求項６】
前記水和物含有材料は、金属水酸化物を含み、
前記金属水酸化物は、水酸化アルミニウムおよび水酸化マグネシウムのうちの少なくとも一方を含む、
請求項５記載の電池パック。
【請求項７】
さらに、前記収納部材に収納された前記複数の二次電池と前記保護部材との間に介在すると共に、前記端子部を露出させるための開口部を有する複数の介在部材を備え、
前記複数の介在部材は、前記水和物含有材料を含む、
請求項５または請求項６に記載の電池パック。
【請求項８】
前記収納部材および前記保護部材のうちの少なくとも一方は、セラミック材料および耐熱温度が３００℃以上である高分子材料のうちの少なくとも一方を含む、
請求項５ないし請求項７のいずれか１項に記載の電池パック。
【請求項９】
前記セラミック材料は、セラミックファイバを含む、
請求項８記載の電池パック。
【請求項１０】
前記二次電池は、リチウムイオン二次電池である、
請求項５ないし請求項９のいずれか１項に記載の電池パック。
【請求項１１】
電池パックと、
前記電池パックから電力を供給される可動部と
を備え、
前記電池パックは、
複数の端子部を有する複数の二次電池と、
前記複数の端子部が露出されるように前記複数の二次電池を収納する収納部材と、
複数の開口部を有すると共に、前記複数の開口部に前記複数の端子部が露出されるように前記収納部材に収納された前記複数の二次電池を被覆する保護部材と、
前記複数の開口部に露出された前記複数の端子部に接続された配線部材と
を備え、
前記収納部材および前記保護部材のうちの少なくとも一方は、セラミック材料および耐熱温度が３００℃以上である高分子材料のうちの少なくとも一方を含み、
さらに、前記収納部材に収納された前記複数の二次電池と前記保護部材との間に介在すると共に、前記端子部を露出させるための開口部を有する複数の介在部材を備え、
前記保護部材および前記複数の介在部材のうちの少なくとも一方は、水和物含有材料を含む、
電動工具。
【請求項１２】
電池パックと、
前記電池パックから電力を供給される可動部と
を備え、
前記電池パックは、
複数の端子部を有する複数の二次電池と、
前記複数の端子部が露出されるように前記複数の二次電池を収納する収納部材と、
複数の開口部を有すると共に、前記複数の開口部に前記複数の端子部が露出されるように前記収納部材に収納された前記複数の二次電池を被覆する保護部材と、
前記複数の開口部に露出された前記複数の端子部に接続された配線部材と
を備え、
前記保護部材は、水和物含有材料を含む、
電動工具。
【請求項１３】
電池パックを電力供給源として備え、
前記電池パックは、
複数の端子部を有する複数の二次電池と、
前記複数の端子部が露出されるように前記複数の二次電池を収納する収納部材と、
複数の開口部を有すると共に、前記複数の開口部に前記複数の端子部が露出されるように前記収納部材に収納された前記複数の二次電池を被覆する保護部材と、
前記複数の開口部に露出された前記複数の端子部に接続された配線部材と
を備え、
前記収納部材および前記保護部材のうちの少なくとも一方は、セラミック材料および耐熱温度が３００℃以上である高分子材料のうちの少なくとも一方を含み、
さらに、前記収納部材に収納された前記複数の二次電池と前記保護部材との間に介在すると共に、前記端子部を露出させるための開口部を有する複数の介在部材を備え、
前記保護部材および前記複数の介在部材のうちの少なくとも一方は、水和物含有材料を含む、
電子機器。
【請求項１４】
電池パックを電力供給源として備え、
前記電池パックは、
複数の端子部を有する複数の二次電池と、
前記複数の端子部が露出されるように前記複数の二次電池を収納する収納部材と、
複数の開口部を有すると共に、前記複数の開口部に前記複数の端子部が露出されるように前記収納部材に収納された前記複数の二次電池を被覆する保護部材と、
前記複数の開口部に露出された前記複数の端子部に接続された配線部材と
を備え、
前記保護部材は、水和物含有材料を含む、
電子機器。
【発明の詳細な説明】
【関連出願の相互参照】
【０００１】
この出願は、２０１７年２月２８日に出願された米国出願番号６２／４６４６８９および２０１７年７月１４日に出願された米国出願番号１５／６５０４５６の利益を主張するものであり、それらの全ての内容を参照によって本出願に援用する。
【技術分野】
【０００２】
本技術は、複数の二次電池を備えた電池パック、ならびにその電池パックを用いた電動工具および電子機器に関する。
【背景技術】
【０００３】
電子機器が広く普及しており、その電子機器に適用される電源として、小型かつ軽量であると共に高エネルギー密度を得ることが可能な二次電池の開発が進められている。この二次電池は、上記した電子機器に限らず、電動工具などの他の用途にも検討されている。
【０００４】
電子機器などの高性能化および多機能化に応じて、二次電池のエネルギー密度をより高くすることが要望されているため、その二次電池の使用時において発生する熱量も増加している。そこで、二次電池を容易かつ安全に取り扱うために、電池パックが用いられている。この電池パックは、収納部材に収納された複数の二次電池を備えている。
【０００５】
電池パックの安全性を向上させるために、さまざまな検討がなされている。具体的には、熱伝導性のホルダに設けられた収容部に二次電池（素電池）が収容されており、その収容部の内部において収容部材と二次電池との間に吸熱剤が設けられている（例えば、特開２０１２−１１９１３７号公報参照。）。
【発明の概要】
【発明が解決しようとする課題】
【０００６】
電池パックの安全性を向上させるために具体的な提案がなされているが、その電池パックの安全性は未だ十分でないため、改善の余地がある。
【０００７】
そこで、安全性を向上させることが可能な電池パック、電動工具および電子機器を提供することが望まれている。
【課題を解決するための手段】
【０００８】
本技術の一実施形態の電池パックは、複数の端子部を有する複数の二次電池と、複数の端子部が露出されるように複数の二次電池を収納する収納部材と、複数の開口部を有すると共にその複数の開口部に複数の端子部が露出されるように収納部材に収納された複数の二次電池を被覆する保護部材と、複数の開口部に露出された複数の端子部に接続された配線部材とを備え、収納部材および保護部材のうちの少なくとも一方がセラミック材料および耐熱温度が３００℃以上である高分子材料のうちの少なくとも一方を含み、さらに、収納部材に収納された複数の二次電池と保護部材との間に介在すると共に端子部を露出させるための開口部を有する複数の介在部材を備え、保護部材および複数の介在部材のうちの少なくとも一方が水和物含有材料を含むものである。
【０００９】
本技術の他の一実施形態の電池パックは、複数の端子部を有する複数の二次電池と、複数の端子部が露出されるように複数の二次電池を収納する収納部材と、複数の開口部を有すると共にその複数の開口部に複数の端子部が露出されるように収納部材に収納された複数の二次電池を被覆する保護部材と、複数の開口部に露出された複数の端子部に接続された配線部材とを備え、保護部材が水和物含有材料を含むものである。
【００１０】
本技術の一実施形態の電動工具および電子機器のそれぞれは、電池パックを備え、その電池パックが上記した本技術の一実施形態の電池パックまたは本技術の他の一実施形態の電池パックと同様の構成を有するものである。
【発明の効果】
【００１１】
本技術の一実施形態の電池パックによれば、収納部材および保護部材のうちの少なくとも一方がセラミック材料および耐熱温度が３００℃以上である高分子材料のうちの少なくとも一方を含んでおり、保護部材および複数の介在部材のうちの少なくとも一方が水和物含有材料を含んでいるので、安全性を向上させることができる。
【００１２】
本技術の他の一実施形態の電池パックによれば、保護部材が水和物含有材料を含んでいるので、安全性を向上させることができる。
【００１３】
本技術の一実施形態の電動工具および電子機器のそれぞれにおいても、同様の効果を得ることができる。
【００１４】
なお、ここに記載された効果は、必ずしも限定されるわけではなく、本技術中に記載されたいずれの効果であってもよい。
【００１５】
上記した一般的な説明および下記の詳細な説明は一例であることが理解されるはずであると共に、それらの説明は特許請求の範囲に記載されている本技術のさらなる説明を提供するために用いられる。
【図面の簡単な説明】
【００１６】
添付の図面は、本技術のさらなる理解をもたらすために含まれていると共に、この明細書に組み込まれると共にその明細書の一部を構成する。図面は、一実施形態を示していると共に、明細書と一緒に本技術の原理を説明する役割を果たす。
【図１】図１は、本技術の一実施形態の電池パックの構成を表す斜視図である。
【図２】図２は、図１に示した電池モジュールの構成を表す斜視図である。
【図３】図３は、図１に示した電池モジュールの構成を表す他の斜視図である。
【図４】図４は、図３に示した二次電池の構成を表す断面図である。
【図５】図５は、電池パックの適用例（電動工具）の構成を表すブロック図である。
【発明を実施するための形態】
【００１７】
以下、本技術の一実施形態に関して、図面を参照して詳細に説明する。なお、説明する順序は、下記の通りである。
１．電池パック（第１実施形態）
１−１．全体構成
１−２．電池モジュールの構成
１−３．安全性対策
１−４．二次電池の構成
１−５．動作
１−６．作用および効果
２．電池パック（第２実施形態）
２−１．安全性対策
２−２．作用および効果
３．変形例
４．電池パックの用途
４−１．電子機器などの各種用途
４−２．電動工具
【００１８】
＜１．電池パック（第１実施形態）＞
まず、本技術の第１実施形態の電池パックに関して説明する。
【００１９】
ここで説明する電池パックは、電子機器などに搭載される電源である。電子機器の種類は、特に限定されないが、例えば、ノート型のパーソナルコンピュータなどである。ただし、電池パックの用途は、特に限定されない。電池パックの詳細な用途に関しては、後述する。
【００２０】
＜１−１．全体構成＞
まず、電池パックの全体構成に関して説明する。
【００２１】
図１は、電池パックの斜視構成を表している。この電池パックは、例えば、図１に示したように、筐体１０と、その筐体１０の内部に収納された電池モジュール２０とを備えている。
【００２２】
［筐体］
筐体１０は、主に、電池モジュール２０を収納および保護する部材である。筐体１０の形成材料は、特に限定されないが、例えば、金属材料および高分子材料などのうちのいずれか１種類または２種類以上である。また、筐体１０の立体的形状は、特に限定されないが、例えば、直方体などである。
【００２３】
なお、筐体１０は、例えば、開閉可能である。このため、電池モジュール２０は、例えば、必要に応じて筐体１０の内部から外部に取り出し可能である。
【００２４】
［電池モジュール］
電池モジュール２０は、主に、後述する複数の二次電池２１（図２および図３参照）を用いて電力を発生させる電池素子である。二次電池の種類は、特に限定されないが、例えば、リチウムイオン二次電池などである。
【００２５】
電池モジュール２０の詳細な構成に関しては、後述する（図２参照）。図１では、筐体１０の内部に収納されている電池モジュール２０の外縁（輪郭）を破線で示している。
【００２６】
＜１−２．電池モジュールの構成＞
続いて、図１に示した電池モジュール２０の構成に関して説明する。
【００２７】
図２および図３のそれぞれは、電池モジュール２０の斜視構成を表している。ただし、図３では、電池モジュール２０の一連の構成要素を見やすくするために、その一連の構成要素が互いに離間された状態を示している。
【００２８】
電池モジュール２０は、例えば、図２および図３に示したように、複数の二次電池２１と、電池ホルダ２２と、複数の封止材２３と、保護カバー２４と、配線板２５とを備えている。図２では、電池ホルダ２２、封止材２３、保護カバー２４および配線板２５のそれぞれに網掛けを施している。
【００２９】
［二次電池］
二次電池２１は、電池パックの主要部であり、いわゆる電源である。ここでは、例えば、二次電池２１は、いわゆる円筒型のリチウムイオン二次電池であり、長手方向（図２中の上下方向）に延在している。
【００３０】
この二次電池２１は、例えば、長手方向における一端部に設けられた突起状の正極端子部２１Ｐと、その長手方向における他端部に設けられた非突起状の負極端子部２１Ｎとを有している。
【００３１】
二次電池２１の数は、複数であれば、特に限定されない。図２および図３では、例えば、図示内容を簡略化するために、２０個の二次電池２１を示している。
【００３２】
二次電池２１（円筒型のリチウムイオン二次電池）の詳細な構成に関しては、後述する（図４参照）。
【００３３】
［電池ホルダ］
電池ホルダ２２は、複数の二次電池２１を収納する収納部材である。この電池ホルダ２２は、例えば、複数の二次電池２１を収納するための複数の収納部２２Ｓを有しており、その収納部２２Ｓは、例えば、二次電池２１の延在方向と同様の方向に延在する円筒状の窪みである。すなわち、収納部２２Ｓは、一端部が閉塞されると共に他端部が開放された構造を有している。
【００３４】
正極端子部２１Ｐおよび負極端支部２１Ｎのうちのいずれか一方が露出されるように二次電池２１が電池ホルダ２２に収納されていれば、その電池ホルダ２２に収納される二次電池２１の向きは、特に限定されない。ここでは、例えば、正極端子部２１Ｐが露出されるように電池ホルダ２２に二次電池２１が収納されている。すなわち、二次電池２１は、例えば、閉塞された一端部側に負極端子部２１Ｎが配置されると共に開放された他端部側に正極端子部２１Ｐが配置されるように、収納部２２Ｓに収納されている。
【００３５】
収納部２２Ｓの数は、複数であれば、特に限定されない。また、複数の収納部２２Ｓの配置パターンは、特に限定されない。ここでは、例えば、収納部２２Ｓの数は、上記した二次電池２１の数に対応する数（２０個）である。また、収納部２２Ｓの配置パターンは、例えば、４列×５行の規則的配列（格子配列）である。
【００３６】
電池ホルダ２２の形成材料は、安全性対策の観点において適正化されている。電池ホルダ２２の形成材料に関しては、後述する。
【００３７】
［封止材］
複数の封止材２３は、電池ホルダ２２に収納された複数の二次電池２１と保護カバー２４との間に介在する介在部材であり、主に、その複数の二次電池２１の内部に外部から水などが浸入することを防止する。
【００３８】
この封止材２３は、例えば、正極端子部２１Ｐを露出させるための開口部２３Ｋを有している。このため、封止材２３は、例えば、開口部２３Ｋに正極端子部２１Ｐが露出されるように、二次電池２１の一端部に設けられている。
【００３９】
封止材２３の平面形状は、特に限定されないが、例えば、円形などである。また、開口部２３Ｋの開口形状は、特に限定されないが、例えば、円形などである。平面形状が円形であると共に開口形状が円形である環状の封止材２３は、いわゆるＯリングまたは防水リングである。
【００４０】
封止材２３の数は、特に限定されない。ここでは、例えば、１個の二次電池２１に対して１個の封止材２３が設けられているため、その封止材２３の数は、上記した二次電池２１の数に対応する数（２０個）である。図２では、二次電池２１に対する封止材２３の取り付け方を分かりやすくするために、２０個の封止材２３のうちの１個の封止材２３だけが二次電池２１から離間された状態を示している。
【００４１】
封止材２３の形成材料は、安全性対策の観点において適正化されていることが好ましい。封止材２３の形成材料に関しては、後述する。
【００４２】
［保護カバー］
保護カバー２４は、主に、複数の二次電池２１を保護する保護部材であり、電池ホルダ２２に収納された複数の二次電池２１を被覆している。
【００４３】
この保護カバー２４は、例えば、複数の正極端子部２１Ｐを露出させるための複数の開口部２４Ｋを有している。このため、保護カバー２４は、例えば、複数の開口部２４Ｋに複数の正極端子部２１Ｐが露出されるように、電池ホルダ２２に収納された複数の二次電池２１を被覆している。
【００４４】
開口部２４Ｋの数は、複数であれば、特に限定されない。また、複数の開口部２４Ｋの配置パターンは、特に限定されない。ここでは、例えば、開口部２４Ｋの数は、上記した二次電池２１の数に対応する数（２０個）であると共に、複数の開口部２４Ｋの配置パターンは、上記した複数の収納部２２Ｓの配置パターンに対応する配置パターン（格子配列）である。
【００４５】
保護カバー２４の形成材料は、安全性対策の観点において適正化されている。保護カバー２４の形成材料に関しては、後述する。
【００４６】
［配線板］
配線板２５は、主に、複数の二次電池２１のうちの複数の正極端子部２１Ｐに接続される配線部材である。
【００４７】
この配線板２５は、例えば、複数の正極端子部２１Ｐに接続される複数の接続端子部２５Ｔを有している。この複数の接続端子部２５Ｔは、例えば、保護カバー２４に向かって配線板２５が部分的に突出することにより形成されている。これにより、配線板２５のうちの複数の接続端子部２５Ｔは、例えば、複数の開口部２４Ｋに露出された複数の正極端子部２１Ｐに接続されている。
【００４８】
接続端子部２５Ｔの数は、複数であれば、特に限定されない。また、複数の接続端子部２５Ｔの配置パターンは、特に限定されない。ここでは、例えば、接続端子部２５Ｔの数は、上記した二次電池２１の数に対応する数（２０個）であると共に、複数の接続端子部２５Ｔの配置パターンは、上記した収納部２２Ｓの配置パターンに対応する配置パターン（格子配列）である。
【００４９】
この配線板２５は、例えば、２個以上に分割されている。ここでは、例えば、配線板２５は、上記した規則的配列（４列×５行）のうちの行方向に延在する５個の配線部分２５Ａ〜２５Ｅを含んでいる。配線部分２５Ａ〜２５Ｅのそれぞれは、例えば、行方向に配列された４個の接続端子部２５Ｔを有している。
【００５０】
配線板２５（配線部分２５Ａ〜２５Ｅ）は、例えば、ニッケル、鉄、アルミニウム、銅およびスズなどの金属材料のうちのいずれか１種類または２種類以上を含んでいる。なお、金属材料は、鍍金されていてもよい。具体的には、鍍金された金属材料は、例えば、ニッケル鍍金された銅およびスズ鍍金された銅などである。
【００５１】
＜１−３．安全性対策＞
続いて、電池パックの安全性対策に関して説明する。この電池パックでは、上記したように、安全性対策の観点から、特定の構成要素の形成材料が適正化されている。
【００５２】
［耐熱性材料］
具体的には、電池ホルダ２２および保護カバー２４のうちの一方または双方は、耐熱性材料を含んでいる。この「耐熱性材料」とは、過度に加熱されにくいと共に燃焼しにくい材料の総称である。耐熱性材料の種類は、１種類だけでもよいし、２種類以上でもよい。
【００５３】
具体的には、耐熱性材料は、セラミック材料および耐熱性高分子材料のうちのいずれか１種類または２種類以上であり、その耐熱性高分子材料は、耐熱温度（ガラス転移温度）が３００℃以上である高分子材料である。
【００５４】
電池ホルダ２２が耐熱性材料を含んでいるのは、複数の二次電池２１のうちの一部の二次電池２１が内部短絡などに起因して発熱または発火しても、その複数の二次電池２１が延焼しにくくなるからである。
【００５５】
詳細には、図２および図３に示したように、複数の二次電池２１は、互いに密集した状態で電池ホルダ２２に収納されている。
【００５６】
電池ホルダ２２が耐熱性材料を含んでいない場合には、複数の二次電池２１のうちの一部の二次電池２１が発熱または発火すると、その一部の二次電池２１により電池ホルダ２２が加熱されやすいため、さらに電池ホルダ２２により他の二次電池２１が加熱されやすくなる。この場合には、電池ホルダ２２により加熱されることに起因して他の二次電池２１が発熱または発火すると、複数の二次電池２１が連鎖的に発熱または発火するため、その複数の二次電池２１が延焼（熱暴走）しやすくなる。特に、二次電池２１が発熱すると、電解液の分解反応などに起因して可燃性のガスが発生するため、複数の二次電池２１が延焼しやすい傾向にある。
【００５７】
これに対して、電池ホルダ２２が耐熱性材料を含んでいる場合には、複数の二次電池２１のうちの一部の二次電池２１が発熱または発火しても、その一部の二次電池２１により電池ホルダ２２が加熱されにくいため、さらに電池ホルダ２２により他の二次電池２１が加熱されにくくなる。この場合には、他の二次電池２１が発熱または発火しにくくなるため、複数の二次電池２１が連鎖的に発熱または発火しにくくなる。よって、複数の二次電池２１が延焼しにくくなる。
【００５８】
なお、上記した電池ホルダ２２が耐熱性材料を含んでいる場合の利点は、保護カバー２４が耐熱性材料を含んでいる場合においても同様に得られる。すなわち、保護カバー２４が耐熱性材料を含んでいると、一部の二次電池２１が発熱または発火しても、さらに保護カバー２４により他の二次電池２１が加熱されにくいため、複数の二次電池２１が延焼しにくくなる。
【００５９】
セラミック材料の種類は、特に限定されないが、例えば、約１０００℃以上の耐熱性を有するセラミックファイバなどである。この「セラミックファイバ」とは、酸化アルミニウム（いわゆるアルミナ（Ａｌ2 Ｏ3 ））および酸化ケイ素（いわゆるシリカ（ＳｉＯ2 ））を主成分とする人造鉱物繊維の総称である。具体的には、セラミックファイバは、例えば、リフラクトリーセラミックファイバー（ＲＣＦ）およびアルミナファイバ（ＡＦ）などである。
【００６０】
ＲＣＦは、非晶質（ガラス質）のアルミナシリカ繊維であり、そのＲＣＦの耐火温度は、例えば、約１０００℃〜１５００℃である。ＲＣＦでは、アルミナの含有量とシリカの含有量とが互いにほぼ等しくなっている。
【００６１】
ＡＦは、アルミナの含有量がシリカの含有量よりも多い結晶質のアルミナシリカ繊維であり、そのＡＦの耐火温度は、例えば、約１３００℃〜１７００℃である。ＡＦでは、アルミナの含有量がシリカの含有量よりも多くなっている。アルミナの含有量は、例えば、約６０％以上である。このＡＦは、アルミナ短繊維でもよいし、アルミナ長繊維でもよいし、双方でもよい。
【００６２】
耐熱性高分子材料の種類は、特に限定されないが、例えば、ポリイミドおよびポリアミドイミドなどである。
【００６３】
中でも、耐熱性材料は、セラミック材料であることが好ましく、セラミックファイバであることがより好ましい。耐熱温度が十分に高いことに加えて、軽量であると共に、柔軟性、弾力性および耐薬品性などに優れているからである。また、特定化学物質予防規則の分類から除外されているため、環境面において安全だからである。
【００６４】
なお、電池ホルダ２２および保護カバー２４の双方が耐熱性材料を含んでいる場合には、電池ホルダ２２が含んでいる耐熱性材料と保護カバー２４が含んでいる耐熱性材料とは、互いに同じ種類でもよいし、互いに異なる種類でもよい。
【００６５】
電池ホルダ２２および保護カバー２４のうちのいずれか一方だけが耐熱性材料を含んでいる場合には、その耐熱性材料を含んでいない他方は、例えば、任意の高分子材料のうちのいずれか１種類または２種類以上を含んでいる。高分子材料の種類は、特に限定されないが、例えば、ポリカーボネート（ＰＣ）およびＡＢＳ樹脂などである。このＡＢＳ樹脂は、アクリロニトリルとブタジエンとスチレンとの共重合体（合成樹脂）である。
【００６６】
［消火性材料］
なお、複数の封止材２３および保護カバー２４のうちの一方または双方は、消火性材料を含んでいてもよい。この「消火性材料」とは、水和物を含有する材料（水和物含有材料）であり、その水和物含有材料は、二次電池２１の発火時において水蒸気（結晶水）を利用して消火することが可能な材料の総称である。消火性材料の種類は、１種類だけでもよいし、２種類以上でもよい。
【００６７】
ただし、保護カバー２４が消火性材料を含んでいる場合には、その保護カバー２４は、耐熱性材料を含んでいてもよいし、耐熱性材料を含んでいなくてもよい。
【００６８】
封止材２３が消火性材料を含んでいるのは、複数の二次電池２１のうちの一部の二次電池２１が内部短絡などに起因して発火しても、その複数の二次電池２１が延焼しにくくなるからである。
【００６９】
詳細には、封止材２３が消火性材料を含んでいない場合には、複数の二次電池２１のうちの一部の二次電池２１が発火すると、その一部の二次電池２１が消化されないため、その一部の二次電池２１の発火に起因して他の二次電池２１が燃焼しやすくなる。または、一部の二次電池２１が発火すると、電池ホルダ２２を介して他の二次電池２１が加熱されるため、その他の二次電池２１が発火しやすくなる。この場合には、複数の二次電池２１が連鎖的に発熱または発火するため、その複数の二次電池２１が延焼（熱暴走）しやすくなる。
【００７０】
これに対して、封止材２３が消火性材料を含んでいる場合には、複数の二次電池２１のうちの一部の二次電池２１が発火すると、その一部の二次電池２１の発火に起因して封止材２３が加熱されるため、その封止材２３中に含まれている消火性材料の温度が上昇する。この場合には、消火性材料の温度が特定の温度以上まで上昇すると、その消火性材料が水蒸気を発生させることにより、その水蒸気を利用して一部の二次電池２１が消火されるため、他の二次電池２１が燃焼または発火しにくくなる。よって、複数の二次電池２１が連鎖的に燃焼または発火しにくくなるため、その複数の二次電池２１が延焼しにくくなる。
【００７１】
なお、上記した封止材２３が消火性材料を含んでいる場合の利点は、保護カバー２４が消火性材料を含んでいる場合においても同様に得られる。すなわち、保護カバー２４が消火性材料を含んでいると、一部の二次電池２１が発火しても、保護カバー２４中に含まれている消火性材料により一部の二次電池２１が消火されるため、複数の二次電池２１が延焼しにくくなる。
【００７２】
水和物含有材料の種類は、特に限定されないが、例えば、特定の温度以上の温度において結晶水の解離反応が発生する金属水酸化物などであり、より具体的には、水酸化アルミニウム（Ａｌ（ＯＨ）3 ）および水酸化マグネシウム（Ｍｇ（ＯＨ）2 ）などである。この金属水酸化物では、結晶中に水分子（結晶水）が含まれているため、その金属水酸化物の温度が特定の温度以上になると、その金属水酸化物が結晶と結晶水とに分離（解離）される。一例を挙げると、水酸化アルミニウムでは、約２００℃以上の温度において結晶水の解離反応が発生するため、約６６％の水酸化アルミニウムの結晶と約３４％の結晶水とに解離される。
【００７３】
特に、金属水酸化物は、熱分解（解離）時において吸熱するため、その金属水酸化物の吸熱現象を利用することによっても、二次電池２１が燃焼または発火しにくくなる。また、金属水酸化物は、有毒ガスを発生させないノンハロゲン系の無機難燃フィラーであるため、環境面においても安全である。
【００７４】
なお、複数の封止材２３および保護カバー２４の双方が消火性材料を含んでいる場合には、複数の封止材２３が含んでいる消火性材料と保護カバー２４が含んでいる消火性材料とは、互いに同じ種類でもよいし、互いに異なる種類でもよい。
【００７５】
この場合には、複数の封止材２３のうちの一部だけが消火性材料を含んでいてもよいし、複数の封止材２３のうちの全てが消火性材料を含んでいてもよい。
【００７６】
また、複数の封止材２３および保護カバー２４のそれぞれは、例えば、消火性材料と共に、任意の高分子材料のうちのいずれか１種類または２種類以上を含んでいてもよい。高分子材料の種類は、特に限定されないが、例えば、ポリカーボネートおよびＡＢＳ樹脂などである。
【００７７】
複数の封止材２３および保護カバー２４のうちのいずれか一方だけが消火性材料を含んでいる場合には、その消火性材料を含んでいない他方は、例えば、上記した任意の高分子材料のうちのいずれか１種類または２種類以上を含んでいる。
【００７８】
［耐熱性材料と消火性材料との併用］
特に、耐熱性材料と共に消火性材料を用いることが好ましい。上記した耐熱性材料に起因する利点および消火性材料に起因する利点の双方が得られるため、複数の二次電池２１がより延焼しにくくなるからである。
【００７９】
＜１−４．二次電池の構成＞
続いて、二次電池２１の構成に関して説明する。
【００８０】
図４は、図３に示した二次電池の断面構成を表している。ここで説明する二次電池は、例えば、上記したように、円筒型のリチウムイオン二次電池である。このリチウムイオン二次電池では、電極反応物質としてリチウムが用いられると共に、リチウムの吸蔵現象およびリチウムの放出現象を利用して負極の容量が得られる。
【００８１】
［全体構成］
具体的には、二次電池２１は、例えば、図３に示したように、電池缶２１１の内部に、一対の絶縁板２１２，２１３と、巻回電極体２２０とを備えている。巻回電極体２２０は、例えば、セパレータ２２３を介して正極２２１と負極２２２とが積層されたのち、その正極２２１、負極２２２およびセパレータ２２３が巻回された巻回体である。巻回電極体２２０には、例えば、液状の電解質である電解液が含浸されている。
【００８２】
電池缶２１１は、例えば、一端部が閉鎖されると共に他端部が開放された中空の円柱状であり、例えば、鉄、アルミニウムおよびそれらの合金などのうちのいずれか１種類または２種類以上を含んでいる。一対の絶縁板２１２，２１３は、巻回電極体２２０の巻回周面に対して垂直な方向に延在していると共に、その巻回電極体２２０を挟むように配置されている。
【００８３】
電池缶２１１の開放端部には、電池蓋２１４と、安全弁機構２１５と、熱感抵抗素子（ＰＴＣ素子）２１６とがガスケット２１７を介してかしめられているため、その電池缶２１１は密閉されている。電池蓋２１４は、例えば、電池缶２１１と同様の材料を含んでおり、上記した正極端子部２１Ｐとして機能する。安全弁機構２１５およびＰＴＣ素子２１６のそれぞれは、電池蓋２１４の内側に設けられており、その安全弁機構２１５は、ＰＴＣ素子２１６を介して電池蓋２１４と電気的に接続されている。安全弁機構２１５では、内部短絡および外部加熱などに起因して内圧が一定以上になると、ディスク板２１５Ａが反転することにより、電池蓋２１４と巻回電極体２２０との電気的接続が切断される。大電流に起因する異常な発熱を防止するために、ＰＴＣ素子２１６の抵抗は、温度の上昇に応じて増加する。ガスケット２１７は、例えば、絶縁性材料を含んでいる。
【００８４】
巻回電極体２２０の巻回中心に設けられた空間には、例えば、センターピン２２４が挿入されている。ただし、二次電池２１は、センターピン２２４を備えていなくてもよい。正極２２１には、正極リード２２５が取り付けられており、その正極リード２２５は、例えば、アルミニウムなどの導電性材料のうちのいずれか１種類または２種類以上を含んでいる。負極２２２には、負極リード２２６が取り付けられており、その負極リード２２６は、例えば、ニッケルなどの導電性材料のうちのいずれか１種類または２種類以上を含んでいる。負極リード２２６は、電池缶２１１と電気的に接続されているため、その電池缶２１１は、上記した負極端子部２１Ｎとして機能する。
【００８５】
［正極］
正極２２１は、例えば、正極集電体と、その正極集電体の片面または両面に設けられた正極活物質層とを含んでいる。
【００８６】
正極集電体は、例えば、アルミニウムなどの導電性材料のうちのいずれか１種類または２種類以上を含んでいる。正極活物質層は、例えば、リチウムを吸蔵および放出することが可能である正極活物質と共に、正極結着剤および正極導電剤などを含んでいる。
【００８７】
正極活物質は、例えば、リチウム含有化合物のうちのいずれか１種類または２種類以上を含んでおり、そのリチウム含有化合物は、例えば、リチウム遷移金属含有複合酸化物およびリチウム遷移金属含有リン酸化合物などである。リチウム遷移金属含有複合酸化物は、リチウムと１種類または２種類以上の遷移金属元素などとを構成元素として含む複合酸化物であると共に、リチウム遷移金属含有リン酸化合物は、リチウムと１種類または２種類以上の遷移金属元素などとを構成元素として含むリン酸化合物である。遷移金属元素の種類は、特に限定されないが、例えば、ニッケル、コバルト、マンガンおよび鉄などである。
【００８８】
正極結着剤は、例えば、合成ゴムおよび高分子材料などのうちのいずれか１種類または２種類以上を含んでいる。合成ゴムは、例えば、スチレンブタジエン系ゴム、フッ素系ゴムおよびエチレンプロピレンジエンなどである。高分子材料は、例えば、ポリフッ化ビニリデンおよびポリイミドなどである。
【００８９】
正極導電剤は、例えば、炭素材料などのうちのいずれか１種類または２種類以上を含んでいる。炭素材料は、例えば、黒鉛、カーボンブラック、アセチレンブラックおよびケッチェンブラックなどである。
【００９０】
［負極］
負極２２２は、例えば、負極集電体と、その負極集電体の片面または両面に設けられた負極活物質層とを含んでいる。
【００９１】
負極集電体は、例えば、銅などの導電性材料のうちのいずれか１種類または２種類以上を含んでいる。負極活物質層は、例えば、リチウムを吸蔵および放出することが可能である負極活物質と共に、負極結着剤および負極導電剤などを含んでいる。
【００９２】
負極活物質は、例えば、炭素材料および金属系材料などのうちのいずれか１種類または２種類以上を含んでいる。炭素材料は、例えば、易黒鉛化性炭素、難黒鉛化性炭素および黒鉛などである。金属系材料は、例えば、金属元素および半金属元素のうちのいずれか１種類または２種類以上を構成元素として含む材料の総称である。この金属系材料は、単体でもよいし、合金でもよいし、化合物でもよいし、それらのうちの２種類以上でもよいし、それらのうちの１種類または２種類以上の相を含む材料でもよい。金属元素および半金属元素のそれぞれの種類は、特に限定されないが、例えば、マグネシウム、ホウ素、アルミニウム、ガリウム、インジウム、ケイ素、ゲルマニウム、スズ、鉛、ビスマス、カドミウム、銀、亜鉛、ハフニウム、ジルコニウム、イットリウム、パラジウムおよび白金などである。
【００９３】
負極結着剤に関する詳細は、例えば、上記した正極結着剤に関する詳細と同様であると共に、負極導電剤に関する詳細は、例えば、上記した負極導電剤に関する詳細と同様である。
【００９４】
この二次電池２１では、充電途中において負極２２２の表面にリチウム金属が意図せずに析出することを防止するために、リチウムを吸蔵および放出することが可能である負極活物質の電気化学当量は、例えば、正極２２１の電気化学当量よりも大きくなるように設定されている。
【００９５】
［セパレータ］
セパレータ２２３は、正極２２１と負極２２２との間に配置されており、正極２２１と負極２２２との接触に起因する電流の短絡を防止しながらリチウムイオンを通過させる。このセパレータ２２３は、例えば、合成樹脂およびセラミックなどの多孔質膜のうちのいずれか１種類または２種類以上を含んでいる。合成樹脂は、例えば、ポリテトラフルオロエチレン、ポリプロピレンおよびポリエチレンなどである。
【００９６】
［電解液］
電解液は、例えば、非水溶媒および電解質塩などを含んでいる。非水溶媒は、例えば、環状炭酸エステルおよび鎖状炭酸エステルなどのうちのいずれか１種類または２種類以上を含んでいる。環状炭酸エステルは、例えば、炭酸エチレンおよび炭酸プロピレンなどであると共に、鎖状炭酸エステルは、例えば、炭酸ジメチル、炭酸ジエチルおよび炭酸エチルメチルなどである。電解質塩は、例えば、リチウム塩などのうちのいずれか１種類または２種類以上を含んでおり、そのリチウム塩は、例えば、六フッ化リン酸リチウム（ＬｉＰＦ6 ）などである。
【００９７】
＜１−５．動作＞
続いて、電池パックの動作に関して説明する。
【００９８】
この電池パックの使用時には、例えば、以下で説明するように、複数の二次電池２１において充放電反応が進行する。すなわち、充電時には、正極２２１からリチウムイオンが放出されると共に、そのリチウムイオンが電解液を介して負極２２２に吸蔵される。一方、放電時には、負極２２２からリチウムイオンが放出されると共に、そのリチウムイオンが電解液を介して正極２２１に吸蔵される。
【００９９】
＜１−６．作用および効果＞
本実施形態の電池パックによれば、電池ホルダ２２および保護カバー２４のうちの一方または双方が耐熱性材料を含んでいる。この場合には、上記したように、複数の二次電池２１のうちの一部の二次電池２１が発熱または発火しても、電池ホルダ２２および保護カバー２４のうちの一方または双方により他の二次電池２１が加熱されにくくなるため、その他の二次電池２１が発熱または発火しにくくなる。よって、複数の二次電池２１が延焼しにくくなるため、安全性を向上させることができる。
【０１００】
この場合には、特に、耐熱性材料がセラミック材料（セラミックファイバ）を含んでいれば、他の二次電池２１がより加熱されにくくなるため、より高い効果を得ることができる。
【０１０１】
また、複数の封止材２３および保護カバー２４のうちの一方または双方が消火性材料（水和物含有材料）を含んでいれば、上記したように、複数の二次電池２１のうちの一部の二次電池２１が発火しても、その消火性材料により一部の二次電池２１が消火されるため、他の二次電池２１が発火しにくくなる。よって、複数の二次電池２１がより延焼しにくくなるため、より高い効果を得ることができる。
【０１０２】
この場合には、特に、消火性材料が金属水酸化物を含んでいれば、その金属水酸化物中に含まれている結晶水を利用して一部の二次電池２１が消火されやすくなるため、より高い効果を得ることができる。
【０１０３】
＜２．電池パック（第２実施形態）＞
次に、本技術の第２実施形態の電池パックに関して説明する。以下では、随時、上記した第１実施形態の電池パックの構成要素を引用する。
【０１０４】
本実施形態の電池パックは、安全性対策に用いられる耐熱性材料および消火性材料の優先順位が異なることを除いて、第１実施形態の電池パックと同様の構成を有している。
【０１０５】
＜２−１．安全性対策＞
具体的には、複数の封止材２３および保護カバー２４のうちの一方または双方は、消火性材料を含んでいる。消火性材料の種類および消火性材料に起因する利点などに関する詳細は、第１実施形態において説明した通りである。すなわち、複数の二次電池２１のうちの一部の二次電池２１が発火しても、消火性材料により一部の二次電池２１が消化されるため、その複数の二次電池２１が延焼しにくくなる。
【０１０６】
なお、電池ホルダ２２および保護カバー２４のうちの一方または双方は、耐熱性材料を含んでいてもよい。耐熱性材料の種類および耐熱性材料に起因する利点などに関する詳細は、第１実施形態において説明した通りである。すなわち、複数の二次電池２１のうちの一部の二次電池２１が発熱または発火しても、さらに他の二次電池２１が加熱されにくくなる。これにより、他の二次電池２１が発熱または発火しにくくなるため、複数の二次電池２１が延焼しにくくなる。
【０１０７】
特に、消火性材料と共に耐熱性材料を用いることが好ましい。上記した消火性材料に起因する利点および耐熱性材料に起因する利点の双方が得られるため、複数の二次電池２１がより延焼しにくくなるからである。
【０１０８】
＜２−２．作用および効果＞
本実施形態の電池パックによれば、複数の封止材２３および保護カバー２４のうちの一方または双方が消火性材料を含んでいる。この場合には、上記したように、複数の二次電池２１のうちの一部の二次電池２１が発火しても、その消火性材料により一部の二次電池２１が消火されるため、他の二次電池２１が発火しにくくなる。よって、複数の二次電池２１がより延焼しにくくなるため、安全性を向上させることができる。
【０１０９】
また、電池ホルダ２２および保護カバー２４のうちの一方または双方が耐熱性材料を含んでいれば、上記したように、複数の二次電池２１のうちの一部の二次電池２１が発熱または発火しても、他の二次電池２１が加熱されにくくなるため、その他の二次電池２１が発熱または発火しにくくなる。よって、複数の二次電池２１がより延焼しにくくなるため、安全性をより向上させることができる。
【０１１０】
これ以外の作用および効果は、第１実施形態の作用および効果と同様である。
【０１１１】
＜３．変形例＞
電池パックの構成は、適宜、変更可能である。
【０１１２】
具体的には、例えば、上記したように、電池ホルダ２２に収納される二次電池２１の数は、特に限定されないため、任意に変更可能である。これに伴い、収納部２２Ｓの数、封止剤２３の数、開口部２４Ｋの数および接続端子２５Ｔの数なども、二次電池２１の数に応じて任意に設定可能である。
【０１１３】
＜４．電池パックの用途＞
次に、上記した電池パックの適用例（用途）に関して説明する。
【０１１４】
電池パックの用途は、その電池パックを駆動用の電源および電力蓄積用の電力貯蔵源などとして利用可能な機械、機器、器具、装置およびシステム（複数の機器などの集合体）などであれば、特に限定されない。電源として用いられる電池パックは、主電源でもよいし、補助電源でもよい。主電源とは、他の電源の有無に関係なく、優先的に用いられる電源である。補助電源は、例えば、主電源の代わりに用いられる電源でもよいし、必要に応じて主電源から切り替えられる電源でもよい。電池パックを補助電源として用いる場合には、主電源の種類は電池パックに限られない。
【０１１５】
＜４−１．電子機器などの各種用途＞
電池パックの用途は、例えば、以下の通りである。ビデオカメラ、デジタルスチルカメラ、携帯電話機、ノート型のパーソナルコンピュータ、コードレス電話機、ヘッドホンステレオ、携帯用ラジオ、携帯用テレビおよび携帯用情報端末などの電子機器（携帯用電子機器を含む。）である。電気シェーバなどの携帯用生活器具である。バックアップ電源およびメモリーカードなどの記憶用装置である。電動ドリルおよび電動鋸などの電動工具である。ペースメーカおよび補聴器などの医療用電子機器である。電気自動車（ハイブリッド自動車を含む）などの電動車両である。非常時などに備えて電力を蓄積しておく家庭用バッテリシステムなどの電力貯蔵システムである。もちろん、電池パックの用途は、上記以外の他の用途でもよい。
【０１１６】
中でも、電池パックは、電動車両、電力貯蔵システム、電動工具および電子機器などに適用されることが有効であり、特に、電動工具に適用されることがより有効である。これらの用途では優れた電池特性が要求されるため、本技術の電池パックを用いることにより、有効に性能向上を図ることができるからである。
【０１１７】
なお、電動車両は、電池パックを駆動用電源として作動（走行）する車両であり、上記したように、電池パック以外の駆動源を併せて備えた自動車（ハイブリッド自動車など）でもよい。電力貯蔵システムは、電池パックを電力貯蔵源として用いるシステムである。例えば、家庭用の電力貯蔵システムでは、電力貯蔵源である電池パックに電力が蓄積されているため、その電力を利用して家庭用の電気製品などを使用することが可能である。電動工具は、電池パックを駆動用の電源として用いて可動部（例えば、ドリルなど）が可動する工具である。電子機器は、電池パックを駆動用の電源（電力供給源）として各種機能を発揮する機器である。
【０１１８】
ここで、電池パックの適用例に関して具体的に説明する。なお、以下で説明する適用例の構成は、あくまで一例であるため、その適用例の構成は、適宜変更可能である。
【０１１９】
＜４−２．電動工具＞
図５は、電動工具のブロック構成を表している。
【０１２０】
ここで説明する電動工具は、例えば、電動ドリルである。この電動工具は、例えば、工具本体１０１の内部に、制御部１０２と、電源１０３とを備えている。工具本体１０１には、例えば、可動部であるドリル部１０４が稼働（回転）可能に取り付けられている。
【０１２１】
工具本体１０１は、例えば、金属材料および高分子材料などのうちのいずれか１種類または２種類以上を含んでいる。制御部１０２は、電動工具の全体の動作（電源１０３の使用状態を含む）を制御する。この制御部１０２は、例えば、中央演算処理装置（ＣＰＵ）などを含んでいる。電源１０３は、１個または２個以上の電池パックを含んでいる。この制御部１０２は、動作スイッチの操作に応じて、電源１０３からドリル部１０４に電力を供給する。
【実施例】
【０１２２】
次に、本技術の実施例に関して説明する。なお、説明する順序は、下記の通りである。
１．耐熱性材料に関する評価
２．消火性材料に関する評価
【０１２３】
＜１．耐熱性材料に関する評価＞
まず、耐熱性材料を用いた電池パックの評価を行った。
【０１２４】
（実験例１−１〜１−７）
以下の手順により、図１〜図３に示した電池パックを作製した。
【０１２５】
電池パックを作製する場合には、２０本の円筒型のリチウムイオン二次電池である二次電池２１と、耐熱性材料（セラミック材料）により形成された電池ホルダ２２と、ポリカーボネート（ＰＣ）により形成された２０個の防水リングである複数の封止材２３と、耐熱性材料（セラミック材料）により形成された保護カバー２４と、スズ鍍金された銅により形成された配線板２５（配線部分２５Ａ〜２５Ｅ）とを用いた。２０個の収納部２２Ｓの配置パターンは、４行×５列の格子配列とした。
【０１２６】
セラミック材料としては、セラミックファイバであるリフラクトリーセラミックファイバー（ＲＣＦ）およびアルミナファイバ（ＡＦ）を用いた。なお、比較のために、セラミック材料に代えて高分子材料（ＰＣ）を用いた。電池ホルダ２２および保護カバー２４のそれぞれの形成材料に関する詳細は、表１に示した通りである。表１に示した「耐熱性」の欄は、電池ホルダ２２および保護カバー２４のそれぞれの形成材料が耐熱性を有しているか否か、すなわち耐熱性材料を含んでいる否かを表している。
【０１２７】
電池パックを組み立てる場合には、各正極端子部２１Ｐに封止材２３が取り付けられた２０個の二次電池２１を電池ホルダ２２に収納したのち、それらの二次電池２１を被覆するように電池ホルダ２２に保護カバー２４および配線板２５をこの順に取り付けた。
【０１２８】
二次電池２１の作製手順は、以下の通りである。
【０１２９】
正極２２１を作製する場合には、正極集電体（１５μｍ厚の帯状アルミニウム箔）の両面にスラリーを塗布することにより正極活物質層を形成したのち、その正極活物質層を圧縮成型した。このスラリーを調整する場合には、正極活物質（ＬｉＣｏＯ2 ）９４質量部と正極結着剤（ポリフッ化ビニリデン）３質量部と正極導電剤（黒鉛）３質量部とを混合したのち、その混合物を有機溶剤（Ｎ−メチル−２−ピロリドン）に溶解または分散させた。
【０１３０】
負極２２２を作製する場合には、負極集電体（１５μｍ厚の銅箔）の両面にスラリーを塗布することにより負極活物質層を形成したのち、その負極活物質層を圧縮成型した。このスラリーを調整する場合には、負極活物質（黒鉛）９５質量部と負極結着剤（ポリフッ化ビニリデン）３質量部と負極導電剤２質量部（カーボンブラック）とを混合したのち、その混合物を有機溶剤（Ｎ−メチル−２−ピロリドン）に溶解または分散させた。
【０１３１】
電解液を調製する場合には、溶媒（炭酸エチレン、炭酸エチルメチルおよび炭酸ジメチル）に電解質塩（ＬｉＰＦ6 ）を加えたのち、その溶媒を撹拌した。この場合には、溶媒の混合比（重量比）を炭酸エチレン：炭酸エチルメチル：炭酸ジメチル＝２０：２０：６０とすると共に、電解質塩の含有量を溶媒に対して１ｍｏｌ／ｋｇとした。
【０１３２】
二次電池を組み立てる場合には、最初に、正極集電体にアルミニウム製の正極リード２２５を溶接すると共に、負極集電体にニッケル製の負極リード２２６を溶接した。続いて、セパレータ２２３（１６μｍ厚の多孔性ポリエチレンフィルム）を介して正極２２１と負極２２２とを積層させてから巻回させたのち、粘着テープで巻き終わり部分を固定することにより、巻回電極体２２０を作製した。続いて、巻回電極体２２０の巻回中心に設けられた空間にセンターピン２２４を挿入した。続いて、ニッケル鍍金された鉄製の電池缶２１１の内部に、一対の絶縁板２１２，２１３で挟みながら巻回電極体２２０を収納した。この場合には、正極リード２２５の一端部を安全弁機構２１５に溶接すると共に、負極リード２２６の一端部を電池缶２１１に溶接した。続いて、減圧方式を用いて電池缶２１１の内部に電解液を注入することにより、その電解液を巻回電極体２２０に含浸させた。最後に、ガスケット２１７を介して電池缶２１１の開口端部に電池蓋２１４、ＰＴＣ素子２１６および安全弁機構２１５をかしめた。
【０１３３】
これにより、電池缶２２１の内部に巻回電極体２２０などが封止されたため、円筒型のリチウムイオン二次電池である二次電池２１が完成した。
【０１３４】
ここで、電池パックの安全性を評価するために、その電池パックの燃焼状況を調べたところ、表１に示した結果が得られた。
【０１３５】
電池パックの燃焼状況を調べる場合には、電池ホルダ２２に収納された２０本の二次電池２１のうちの一部（１本）の二次電池２１に釘を差し込むことにより、その一部の二次電池を意図的に発火させた。この場合には、満充電状態になるまで充電された二次電池２１の天面に釘を差し込むと共に、その釘を差し込む深さが二次電池２１の長さのほぼ半分に相当する深さとなるようにした。こののち、一部の二次電池２１の発火に起因して他の複数の二次電池２１も連鎖的に発火する現象（延焼）が発生するか否かを目視で確認した。
【０１３６】
この結果、他の複数の二次電池２１が連鎖的に発火した場合には、延焼の有無を「あり」と判定した。一方、他の複数の二次電池２１が連鎖的に発火しなかった場合には、延焼の有無を「なし」と判定した。
【０１３７】
【表１】
0006835237.tif 000002
【０１３８】
電池ホルダ２２および保護カバー２４のうちの一方または双方が耐熱性材料を含んでいない場合（実験例１−７）には、一部の二次電池２１の発火に起因して他の複数の二次電池２１が連鎖的に発火したため、延焼が発生した。
【０１３９】
これに対して、電池ホルダ２２および保護カバー２４のうちの一方または双方が耐熱性材料を含んでいる場合（実験例１−１〜１−６）には、一部の二次電池２１の発火に起因して他の複数の二次電池２１が連鎖的に発火しなかったため、延焼が発生しなかった。
【０１４０】
＜２．消火性材料に関する評価＞
次に、消火性材料を用いた電池パックの評価を行った。
【０１４１】
（実験例２−１〜２−７）
表２に示したように、以下のように構成を変更したことを除いて同様の手順により、電池パックを作製した。
【０１４２】
電池パックを作製する場合には、ポリカーボネートにより形成された電池ホルダ２２と、高分子材料（ポリカーボネート）および消火性材料（金属水酸化物）により形成された防水リングである複数の封止材パッキン２３と、高分子材料（ポリカーボネート）および消火性材料（金属水酸化物）により形成された保護カバー２４とを用いた。
【０１４３】
金属水酸化物としては、水酸化アルミニウム（ＡＨ）および水酸化マグネシウム（ＭＨ）のうちの一方または双方を用いた。なお、比較のために、金属水酸化物を用いなかった。封止材２３および保護カバー２４のそれぞれの形成材料に関する詳細は、表２に示した通りである。表２に示した「消火性」の欄は、封止材２３および電池ホルダ２２のそれぞれの形成材料が消火性を有しているか否か、すなわち消火性材料を含んでいるか否かを表している。
【０１４４】
消火性材料（金属水酸化物）を含む封止材２３を形成する場合には、高分子材料（ポリカーボネート）と消火性材料（金属水酸化物）とを混合したのち、金型を用いて混合物を成型した。消火性材料（金属水酸化物）を含む保護カバー２４を形成する場合においても同様の手順により、金型を用いて混合物を成型した。
【０１４５】
ここで、電池パックの安全性を評価するために、その電池パックの燃焼状況を調べたところ、表２に示した結果が得られた。
【０１４６】
電池パックの燃焼状況を調べる場合には、上記した手順により、２０本の二次電池２１のうちの一部（１本）の二次電池２１を意図的に発火させることにより、延焼の発生状況を目視で確認した。
【０１４７】
この結果、一部の二次電池２１の発火後、数秒以内に他の複数の二次電池２１が連鎖的に発火した場合には、延焼の有無を「あり」と判定した。一方、一部の二次電池２１の発火後、３０秒が経過しても他の複数の二次電池２１が連鎖的に発火しなかった場合には、延焼の有無を「なし」と判定した。
【０１４８】
【表２】
0006835237.tif 000003
【０１４９】
封止材２３および保護カバー２４のうちの一方または双方が消火性材料を含んでいない場合（実験例２−７）には、一部の二次電池２１が発火すると、直ちに他の複数の二次電池２１が連鎖的に発火したため、延焼が発生した。
【０１５０】
これに対して、封止材２３および保護カバー２４のうちの一方または双方が消火性材料を含んでいる場合（実験例２−１〜２−６）には、一部の二次電池２１が発火しても、直ちに他の複数の二次電池２１が連鎖的に発火しなかったため、延焼が発生しなかった。
【０１５１】
なお、ここでは具体的な実験結果を示していないが、耐熱性材料を用いた場合に関する表１の結果と、消火性材料を用いた場合に関する表２の結果とから明らかなように、耐熱性材料と消火性材料とを併用した場合においても、同様の傾向が得られると考えられる。すなわち、耐熱性材料と消火性材料とを併用した場合においても、延焼が発生しにくくなる。
【０１５２】
表１および表２に示した結果から、電池ホルダ２２および保護カバー２４のうちの一方または双方が耐熱性材料を含んでいると、複数の二次電池２１が延焼しにくくなった。また、複数の封止材２３および保護カバー２４のうちの一方または双方が消火性材料を含んでいると、複数の二次電池２１が延焼しにくくなった。よって、電池パックの安全性が向上した。
【０１５３】
以上、いくつかの実施形態および実施例を挙げながら本技術を説明したが、その本技術に関しては、上記した各実施形態および実施例において説明した態様に限定されず、種々の変形が可能である。
【０１５４】
具体的には、電池パックに搭載される二次電池として、リチウムの吸蔵現象およびリチウムの放出現象を利用して負極の容量が得られるリチウムイオン二次電池を例に挙げたが、これに限られない。この二次電池は、例えば、リチウムの析出現象およびリチウムの溶解現象を利用して負極の容量が得られるリチウム金属二次電池でもよい。また、二次電池は、例えば、リチウムを吸蔵および放出することが可能である負極活物質の容量を正極の容量よりも小さく設定することにより、リチウムの吸蔵現象およびリチウムの放出現象に起因する容量とリチウムの析出現象およびリチウムの溶解現象に起因する容量との和により負極の容量が得られる二次電池でもよい。
【０１５５】
また、二次電池として、電極反応物質としてリチウムを用いたリチウムイオン二次電池を例に挙げたが、これに限られない。この電極反応物質は、例えば、ナトリウムおよびカリウムなどの長周期型周期表における他の１族の元素でもよいし、マグネシウムおよびカルシウムなどの長周期型周期表における２族の元素でもよいし、アルミニウムなどの他の軽金属でもよい。また、電極反応物質は、上記した一連の元素のうちのいずれか１種類または２種類以上を含む合金でもよい。
【０１５６】
なお、本明細書中に記載された効果はあくまで例示であって限定されるものではなく、また、他の効果があってもよい。
【０１５７】
なお、本技術は、以下のような構成を取ることも可能である。
（１）
複数の端子部を有する複数の二次電池と、
前記複数の端子部が露出されるように前記複数の二次電池を収納する収納部材と、
複数の開口部を有すると共に、前記複数の開口部に前記複数の端子部が露出されるように前記収納部材に収納された前記複数の二次電池を被覆する保護部材と、
前記複数の開口部に露出された前記複数の端子部に接続された配線部材と
を備え、
前記収納部材および前記保護部材のうちの少なくとも一方は、セラミック材料および耐熱温度が３００℃以上である高分子材料のうちの少なくとも一方を含む、
電池パック。
（２）
前記セラミック材料は、セラミックファイバを含む、
上記（１）に記載の電池パック。
（３）
さらに、前記収納部材に収納された前記複数の二次電池と前記保護部材との間に介在すると共に、前記端子部を露出させるための開口部を有する複数の介在部材を備え、
前記保護部材および前記複数の介在部材のうちの少なくとも一方は、水和物含有材料を含む、
上記（１）または（２）に記載の電池パック。
（４）
前記水和物含有材料は、金属水酸化物を含み、
前記金属水酸化物は、水酸化アルミニウムおよび水酸化マグネシウムのうちの少なくとも一方を含む、
上記（３）に記載の電池パック。
（５）
前記二次電池は、リチウムイオン二次電池である、
上記（１）ないし（４）のいずれかに記載の電池パック。
（６）
複数の端子部を有する複数の二次電池と、
前記複数の端子部が露出されるように前記複数の二次電池を収納する収納部材と、
複数の開口部を有すると共に、前記複数の開口部に前記複数の端子部が露出されるように前記収納部材に収納された前記複数の二次電池を被覆する保護部材と、
前記複数の開口部に露出された前記複数の端子部に接続された配線部材と
を備え、
前記保護部材は、水和物含有材料を含む、
電池パック。
（７）
前記水和物含有材料は、金属水酸化物を含み、
前記金属水酸化物は、水酸化アルミニウムおよび水酸化マグネシウムのうちの少なくとも一方を含む、
上記（６）に記載の電池パック。
（８）
さらに、前記収納部材に収納された前記複数の二次電池と前記保護部材との間に介在すると共に、前記端子部を露出させるための開口部を有する複数の介在部材を備え、
前記複数の介在部材は、前記水和物含有材料を含む、
上記（６）または（７）に記載の電池パック。
（９）
前記収納部材および前記保護部材のうちの少なくとも一方は、セラミック材料および耐熱温度が３００℃以上である高分子材料のうちの少なくとも一方を含む、
上記（６）ないし（８）のいずれかに記載の電池パック。
（１０）
前記セラミック材料は、セラミックファイバを含む、
上記（９）に記載の電池パック。
（１１）
前記二次電池は、リチウムイオン二次電池である、
上記（６）ないし（１０）のいずれかに記載の電池パック。
（１２）
上記（１）ないし（５）のいずれかに記載の電池パックと、
前記電池パックから電力を供給される可動部と
を備えた、電動工具。
（１３）
上記（６）ないし（１１）のいずれかに記載の電池パックと、
前記電池パックから電力を供給される可動部と
を備えた、電動工具。
（１４）
上記（１）ないし（５）のいずれかに記載の電池パックを電力供給源として備えた、電子機器。
（１５）
上記（６）ないし（１１）のいずれかに記載の電池パックを電力供給源として備えた、電子機器。
【０１５８】
当業者であれば、設計上の要件や他の要因に応じて、種々の修正、コンビネーション、サブコンビネーションおよび変更を想到し得るが、それらは添付の請求の範囲の趣旨やその均等物の範囲に含まれるものであることが理解される。
【図１】
0006835237.tif 000004
【図２】
0006835237.tif 000005
【図３】
0006835237.tif 000006
【図４】
0006835237.tif 000007
【図５】
0006835237.tif 000008